(57)【要約】【課題】周囲に配置された複数の情報配信装置から配信情報を受信した場合に、ユーザにとって周囲の情報配信装置の状態が直感的に分かるように表示し、適切な時に適切な情報をユーザに通知することを可能とする配信情報受信装置を提供する。【解決手段】複数の情報配信装置から配信情報を受信したときに、表示領域を予め定義された割合に分割し、配信情報を受信レベル順に並び替えし、受信レベル順に定義されている量の情報を、分割されたそれぞれの領域に表示する。また、一度、配信情報を表示した後も情報配信装置の受信レベルを一定間隔で測定し続け、既に受信されている配信情報と新規に受信した配信情報を併せて受信レベル順に並び替えし、同様に受信レベル順に定義されている量の情報を分割されたそれぞれの領域に表示する。【選択図】図４
2009182632.tif 000002
【特許請求の範囲】
【請求項１】
情報配信装置から送信された信号の受信品質を測定する測定部と、
複数の項目が定義されている配信情報を前記情報配信装置から受信する受信部と、
該受信部から受信した配信情報を記憶する記憶部と、
前記測定部により測定した受信品質に応じて、前記記憶部が記憶している配信情報の項目を決定し、該決定した項目の配信情報を表示する表示部と、
を備える配信情報受信装置。
【請求項２】
情報配信装置から送信された信号の受信品質を測定する測定部と、
複数の項目が定義されている配信情報を前記情報配信装置から受信する受信部と、
該受信部から受信した配信情報を記憶する記憶部と、
複数の情報配信装置から配信情報を受信して記憶している場合、前記測定部により測定した前記複数の情報配信装置の受信品質順に応じて、前記記憶部が記憶している各情報配信装置における配信情報の項目を決定し、各情報配信装置の配信情報を当該決定した項目に基づいて表示する表示部と、
を備える配信情報受信装置。
【請求項３】
前記表示部は、前記受信品質が最も良い情報配信装置については配信情報のすべての項目を表示することを特徴とする請求項１に記載の配信情報受信装置。
【請求項４】
前記表示部は、複数の情報配信装置からの配信情報を、前記受信品質順に表示することを特徴とする請求項２または３に記載の配信情報受信装置。
【発明の詳細な説明】
【技術分野】
【０００１】
本発明は、アドホック通信を利用して配信される情報を受信し、表示する配信情報受信装置に関する。
【背景技術】
【０００２】
携帯電話等の無線通信端末では、無線信号の受信状況が、周囲の障害物や移動等の影響により時々刻々変化するため、アンテナを模した３本のアンテナバーを端末の表示部に表示し、受信状況が良好な場合にはアンテナバーの表示本数を増やし、逆に受信状況が悪い場合にはアンテナバーの表示本数を減らすことでユーザに無線信号の受信状況を通知することが行われている。
また、情報配信装置から配信される情報が表示用データの場合には、端末の表示部にデータを、受信レベルに基づいて表示サイズを縮小あるいは拡大して表示することで、ユーザに受信状況を、より視覚的に表示する通信端末も存在する（特許文献１参照）。
また、近距離無線通信により通信相手を探索して、端末の表示部に電波の強度が強い順に候補を表示して接続するかどうかを確認するという通信端末が存在する（特許文献２参照）。
【特許文献１】特開２００２−９５０５５号公報
【特許文献２】特開２００４−２３５９６３号公報
【発明の開示】
【発明が解決しようとする課題】
【０００３】
しかしながら、従来の無線通信端末では、端末の表示部に表示されるアンテナバーは、周囲に複数の情報配信装置が配置され、配置された複数の情報配信装置から配信情報を受信する場合であっても、個々の情報配信装置毎の無線信号の受信状況をユーザに通知するものではない。
また、特許文献１の通信端末では、周囲に複数の情報配信装置が配置され、複数の情報配信装置から配信情報を受信することまでは考慮されていないため、配信された情報を受信後、直ちに表示するようにした場合、次のような問題が発生することが考えられる。まず、配信された情報を表示した直後に、別の配信情報を受信する可能性があり、配信を確認する前や確認中に新しい配信情報によって表示が更新されてしまうという問題がある。また、仮に表示領域を分割して複数の配信情報を表示する場合は、受信した情報の何を表示するのかという問題がある。さらに、配信情報の内容を表示させるためには、受信した複数の配信情報から選択させる等の、何らかの操作が必要になる。また選択を行うにしても、受信した配信情報の何を選択項目にするのかという問題がある。
また、特許文献２の通信端末は、近距離無線通信による通信相手を探索するものであり、近距離無線通信により配信された情報をユーザへ通知するものではない。
【０００４】
本発明は、このような問題点に鑑みてなされたものであり、本発明の目的は、周囲に複数の情報配信装置が配置され、複数の情報配信装置から配信情報を受信した場合に、ユーザにとって周囲の情報配信装置の状態が直感的に分かるように表示し、適切な時に適切な情報をユーザに通知することを可能とする配信情報受信装置を提供することにある。
【課題を解決するための手段】
【０００５】
上記目的を達成するため、本発明の配信情報受信装置は、情報配信装置から送信された信号の受信品質を測定する測定部と、複数の項目が定義されている配信情報を前記情報配信装置から受信する受信部と、該受信部から受信した配信情報を記憶する記憶部と、前記測定部により測定した受信品質に応じて、前記記憶部が記憶している配信情報の項目を決定し、該決定した項目の配信情報を表示する表示部とを備える。
【０００６】
また、本発明の配信情報受信装置は、情報配信装置から送信された信号の受信品質を測定する測定部と、複数の項目が定義されている配信情報を前記情報配信装置から受信する受信部と、該受信部から受信した配信情報を記憶する記憶部と、複数の情報配信装置から配信情報を受信して記憶している場合、前記測定部により測定した前記複数の情報配信装置の受信品質順に応じて、前記記憶部が記憶している各情報配信装置における配信情報の項目を決定し、各情報配信装置の配信情報を当該決定した項目に基づいて表示する表示部とを備える。
【０００７】
前記表示部は、前記受信品質が最も良い情報配信装置については配信情報のすべての項目を表示することが好ましく、また、前記表示部は、複数の情報配信装置からの配信情報を、前記受信品質順に表示することが好ましい。
【発明の効果】
【０００８】
本発明は、周囲に複数の情報配信装置が配置され、複数の情報配信装置から配信情報を受信した場合に、近くの情報配信装置の表示領域を広くして情報を多く表示し、遠くの情報配信装置の表示領域は狭くして最小限の表示のみ行う、あるいは、情報配信装置に近づくにつれて段階的に表示領域を広くして情報を多く表示し、離れれば段階的に表示領域を狭くして最小限の情報のみを表示するので、ユーザにとって周囲の情報配信装置の状態が直感的に分かり、適切な時に適切な情報をユーザに通知することができる。
【発明を実施するための最良の形態】
【０００９】
本発明の実施の形態について図面を参照して説明する。図１は、本発明の配信情報受信装置の一例を示すブロック図である。図１に示す配信情報受信装置（以下、受信端末という）１００は、移動可能な携帯端末であり、アドホック通信により周囲の情報配信装置から配信情報を受信するアドホック通信部（受信部）１１と、情報配信装置から送信された無線信号の受信レベル（受信品質）を測定する受信レベル測定部１２と、セルラー通信を行うセルラー通信部１３と、表示部１４と、入力部１５と、制御部１６と、アドホック通信部１１で受信した配信情報を記憶する記憶部１７を備える。ここで、アドホック通信とは、直接端末間で行う通信であり、セルラー通信とは、移動通信網を介して行う通信である。
【００１０】
図２は、本発明の情報配信装置の一例を示すブロック図である。図２に示す情報配信装置２００は、固定または移動可能な端末であり、アドホック通信を行うアドホック通信部２１と、制御部２２と、予め複数の項目が定義された配信情報を記憶する記憶部２３を備える。情報配信装置２００は、記憶部２３に記憶している配信情報をアドホック通信により周囲の受信端末へ配信する。
【００１１】
図３は、情報配信装置から配信される配信情報の項目のフォーマット例と、そのフォーマットに従った配信情報の例を示す図である。この例では、１回の配信で、「第１の情報」と「第２の情報」と「第３の情報」の３つの情報をまとめて配信している。配信情報には、重要な情報から詳細な情報へ順に、「第１の情報」として文字からなる「名称」の情報と、「第２の情報」として文字からなる「説明」の情報と、「第３の情報」として画像情報の項目が定義されている。
【００１２】
受信端末１００は、アドホック通信部１１で受信した配信情報を記憶部１７に記憶し、受信レベル測定部１２で測定した無線信号の受信レベルに応じて、記憶部１７が記憶している配信情報の項目を決定し、決定した項目の配信情報を表示部１４に表示する。例えば、受信レベルが最も大きいときは、「第１の情報」と「第２の情報」と「第３の情報」の全ての項目を表示部１４に表示し、受信レベルが小さくなると、「第１の情報」と「第２の情報」の項目を表示部１４に表示し、受信レベルがさらに小さくなると、「第１の情報」の項目のみを表示部１４に表示する。
【００１３】
このように、本発明の受信端末１００は、情報配信装置から遠ざかり、情報配信装置から送信される無線信号の受信レベルが小さくなると、表示する項目を少なくし、反対に、情報配信装置に近づいて受信レベルが大きくなると、表示する項目が多くする。一度に情報を表示すれば、情報が多すぎて必要な情報を見落としてしまうかもしれないが、本発明により、重要な情報から徐々に詳細な情報へと変化させれば、ユーザによる情報の選別（認識）が高まる。さらに、情報配信装置までユーザが近づいてくれる効果がある。
【００１４】
また、図４は、受信端末１００が複数の情報配信装置から配信情報を受信したときの表示部１４における表示領域の定義例を示す図である。
受信端末１００は、表示部１４の表示領域を予め定義された割合に分割し、受信レベル測定部１２により測定した、複数の情報配信装置からの無線信号の受信レベル順に配信情報を並び替えし、無線信号の受信レベル順に応じて、記憶部１７に記憶している各情報配信装置における配信情報の項目を決定し、各情報配信装置の配信情報を、決定した項目に基づいて、分割されたそれぞれの領域に表示する。
図４では、受信レベルの大きさが上位３番目までの情報配信装置の配信情報を表示する場合の定義例を示している。無線信号の受信レベル順に、受信レベルが大きい情報配信装置の配信情報は、表示領域を広くして表示する項目を多くし、受信レベルが小さい情報配信装置の配信情報は、表示領域を狭くして表示項目を少なくする。
【００１５】
図５は、情報配信装置Ａ〜情報配信装置Ｄが、それぞれアドホック通信を利用して情報配信を行っているときに、受信端末Ｐが、地点（１）→地点（２）→地点（３）→地点（４）の順に移動する状態を示す図であり、図６は、各地点において受信可能な情報配信装置と受信レベルの大きさの順位を示す図であり、図７は、図５の情報配信装置Ａ〜情報配信装置Ｄの各装置から配信されている情報の例を示す図であり、図８〜図１１は、図５の地点（１）〜地点（４）での受信端末Ｐの表示部１４への表示例を示す図である。
【００１６】
（１）の地点では、受信可能な情報配信装置が３台（Ａ、Ｂ、Ｃ）あり、それぞれの情報配信装置から配信情報を受信し、各情報配信装置の受信レベルを測定する。受信レベルの大きさの順位が（Ａ＞Ｂ＞Ｃ）であるので、配信情報を受信レベル順に並び替え、図４に示す表示領域の定義に従って、図８に示すように、配信装置Ａの配信情報については、「名称」の情報（第１の情報）と、「説明」の情報（第２の情報）と、画像情報（第３の情報）の全ての項目を表示し、配信装置Ｂの配信情報については、「名称」の情報（第１の情報）と、「説明」の情報（第２の情報）の項目を表示し、配信装置Ｃの配信情報については、「名称」の情報（第１の情報）の項目を表示する。
【００１７】
（２）の地点では、受信可能な情報配信装置が４台（Ａ、Ｂ、Ｃ、Ｄ）あり、新規の情報配信装置Ｄから配信情報を受信し（Ａ、Ｂ、Ｃは配信受信済）、各情報配信装置の受信レベルを測定する。受信レベルの大きさの順位が（Ｂ＞Ａ＞Ｃ＞Ｄ）であるので、配信情報を受信レベル順に並び替え、図４に示す表示領域定義に従って、図９に示すように、配信装置Ｂの配信情報については、「名称」の情報（第１の情報）と、「説明」の情報（第２の情報）と、画像情報（第３の情報）の全ての項目を表示し、配信装置Ａの配信情報については、「名称」の情報（第１の情報）と、「説明」の情報（第２の情報）の項目を表示し、配信装置Ｃの配信情報については、「名称」の情報（第１の情報）の項目を表示する。
【００１８】
（３）の地点では、受信可能な情報配信装置が２台（Ｃ，Ｄ）あり、既に配信は受信済なので各情報配信装置の受信レベルを測定する。受信レベルの大きさの順位が（Ｃ＞Ｄ）であるので、配信情報を受信レベル順に並び替え、図４に示す表示領域定義に従って、図１０に示すように、配信装置Ｃの配信情報については、「名称」の情報（第１の情報）と、「説明」の情報（第２の情報）と、画像情報（第３の情報）の全ての項目を表示し、配信装置Ｄの配信情報については、「名称」の情報（第１の情報）と、「説明」の情報（第２の情報）の項目を表示する。
【００１９】
（４）の地点では、受信可能な情報配信装置が１台（Ｄ）のみであり、既に配信は受信済なので、図４に示す表示領域定義に従って、図１１に示すように、配信装置Ｄの配信情報について、「名称」の情報（第１の情報）と、「説明」の情報（第２の情報）と、画像情報（第３の情報）の全ての項目を表示する。
【００２０】
さらに、受信端末Ｐは、（４）の地点から遠ざかり、受信レベルが小さくなると、配信装置Ｄの配信情報について、「名称」の情報（第１の情報）と、「説明」の情報（第２の情報）の項目を表示部１４へ表示し、（４）の地点からさらに遠ざかって、受信レベルがさらに小さくなると、配信装置Ｄの配信情報について、「名称」の情報（第１の情報）の項目のみを表示部１４へ表示する。
【００２１】
図１２は、本発明の受信端末の動作を説明するフローチャートである。受信端末は、周辺に情報配信装置が配置されているどうかを調査するために、アドホック通信による配信で使用されるチャネルのスキャンを行って情報配信装置が配置されているか否かを判定する（ステップ１０１）。情報配信装置が配置されていれば（ＹＥＳの場合）、既に配信情報の受信が済んでいる情報配信装置かどうかを確認し（ステップ１０２）、配信情報を受信していない新規の情報配信装置であれば（ＮＯの場合）、配信情報を受信して、記憶部１７に「情報配信装置名」「チャネル」「配信情報」を登録する（ステップ１０３）。さらに、情報配信装置から送信される無線信号の受信レベルを測定して、記憶部１７に「受信レベル」を登録する（以下、「情報配信装置名」「チャネル」「配信情報」「受信レベル」をまとめて情報配信装置の登録情報とする）（ステップ１０４）。
【００２２】
また、ステップ１０２において、既に配信情報の受信が済んでいる情報配信装置であれば（ＹＥＳの場合）、情報配信装置から送信される無線信号の受信レベルを測定し、記憶部１７に登録されている該当する情報配信装置の「受信レベル」の更新を行う（ステップ１０４）。
【００２３】
ステップ１０１において、全てのチャネルのスキャンを行い、情報配信装置が配置されていなかったならば（ＮＯの場合）、記憶部１７に新規に登録された登録情報および更新された登録情報以外の登録情報を消去し（ステップ１０５）、登録情報を受信レベル順に並び替えし（ステップ１０６）、受信レベル順に表示情報を作成し、表示を更新する（ステップ１０７）。以上の動作を一定の間隔で繰り返し行う。
【００２４】
本発明は、周囲に複数の情報配信装置が配置され、複数の情報配信装置から配信情報を受信した場合に、表示領域を予め定義された割合に分割し、配信された情報は受信レベル順に並び替えし、受信レベル順に定義されている量の情報を分割されたそれぞれの領域に表示する。また、一度、配信情報を表示した後も情報配信装置の受信レベルを一定間隔で測定し続け、既に受信している配信情報と新規に受信した配信情報を合わせて受信レベル順に並び替えし、同じく受信レベル順に定義されている量の情報を分割された画面に表示する。そのために、本発明は、近くの情報配信装置の表示領域を広くして情報を多く表示し、遠くの情報配信装置の表示領域を狭くして最小限の情報の表示のみ行う、あるいは、情報配信装置に近づくにつれて段階的に表示領域を広くして情報を多く表示し、離れれば段階的に表示領域を狭くして最小限の情報のみを表示することができるので、ユーザにとって周囲の情報配信装置の状態が直感的に分かり、適切な時に適切な情報をユーザに通知することができる。
【００２５】
また、本発明では、表示領域を分割し、それぞれの領域に予め定義された量の情報が受信レベル順で表示されることから、複数の情報配信装置から配信情報を受信した場合において、配信された情報を表示した直後に、別の配信情報を受信しても、新しい配信情報によって表示が更新されてしまうという問題は発生しない。
また、本発明では、各情報配信装置から配信される情報に関しては予め定義されたフォーマットで配信されるので、表示領域に応じた内容を表示することが可能である。
さらに、本発明では、表示領域に応じた内容を表示するため、特に操作を行わなくても配信情報の概要を知るために必要な最小限の情報は表示されることになる。また、配信情報が、各情報配信装置の受信レベル順で表示されるので、直ちには必要ないと思われる遠方の情報配信装置の情報は表示しない等により、表示領域を効果的に使用可能である。
【図面の簡単な説明】
【００２６】
【図１】本発明の配信情報受信装置の一例を示すブロック図である。
【図２】本発明の情報配信装置の一例を示すブロック図である。
【図３】配信情報のフォーマット例と、受信端末の表示部に表示したときの表示例を示す図である。
【図４】複数の配信情報を受信したときの表示領域の定義例を示す図である。
【図５】情報配信装置Ａ〜情報配信装置Ｄが情報配信を行っているときに受信端末Ｐが（１）→（２）→（３）→（４）の順に移動することを示す図である。
【図６】各地点において受信可能な情報配信装置と受信レベルの大きさの順位を示す図である。
【図７】情報配信装置Ａ〜情報配信装置Ｄの各装置で配信されている情報の例を示す図である。
【図８】地点（１）での受信端末の表示部への表示例を示す図である。
【図９】地点（２）での受信端末の表示部への表示例を示す図である。
【図１０】地点（３）での受信端末の表示部への表示例を示す図である。
【図１１】地点（４）での受信端末の表示部への表示例を示す図である。
【図１２】本発明の受信端末の動作を説明するフローチャートである。
【符号の説明】
【００２７】
１１，２１  アドホック通信部
１２  受信レベル測定部
１３  セルラー通信部
１４  表示部
１５  入力部
１６，２２  制御部
１７，２３  記憶部
１００  配信情報受信装置（受信端末）
２００  情報配信装置
【図１】
2009182632.tif 000003
【図２】
2009182632.tif 000004
【図３】
2009182632.tif 000005
【図４】
2009182632.tif 000006
【図５】
2009182632.tif 000007
【図６】
2009182632.tif 000008
【図７】
2009182632.tif 000009
【図８】
2009182632.tif 000010
【図９】
2009182632.tif 000011
【図１０】
2009182632.tif 000012
【図１１】
2009182632.tif 000013
【図１２】
2009182632.tif 000014